(57)【要約】    【課題】自発的に色補償するコントロール装置およびそのための方法を提供する。    【解決手段】自発的色補償コントロール装置は、オリジナル画素データに基づいて自発的に色補償を行い、かつそれに基づいて補償画素データをディスプレイモジュールに出力するように構成されている。前記コントロール装置は、タイマとタイミングコントローラとを含む。前記タイマは、ディスプレイモジュールのパワーオン時間長さを提供するために使用され、前記タイミングコントローラはオリジナル画素データを受け取り、かつ補償画素データを出力するために使用される。前記タイミングコントローラは、オリジナル画素データのグレイレベルを調整して、ディスプレイモジュールの使用時間に基づく補償画素データを出力する。【選択図】図２Ａ
2006154741.tif 000002
【特許請求の範囲】
【請求項１】
オリジナル画素データに対して自発的に色補償を行い、かつ前記色補償に基づいて補償画素データをディスプレイモジュールに出力する装置であって、
前記ディスプレイモジュールのパワーオン時間長さを提供するタイマと、
前記オリジナル画素データを受け取り、かつ前記補償画素データを出力するタイミングコントローラとを含み、
前記タイミングコントローラは、前記ディスプレイモジュールの前記パワーオン時間長さに基づく前記補償画素データを出力するために、前記オリジナル画素データのグレイレベルを調整するように構成されている、装置。
【請求項２】
前記タイミングコントローラは、前記パワーオン時間長さが所定値に達したとき、前記オリジナル画素データの緑のグレイレベルと青のグレイレベルとを低下させるように構成されている、請求項１記載の装置。
【請求項３】
ルックアップテーブルをさらに含み、前記タイミングコントローラは前記ルックアップテーブルに基づいて前記補償画素データを出力するように構成されている、請求項１または２に記載の装置。
【請求項４】
前記ルックアップテーブルを保存するための電気的に消去可能で、かつプログラム可能な読み取り専用メモリであるＥＥＰＲＯＭをさらに含む、請求項３記載の装置。
【請求項５】
前記ＥＥＰＲＯＭは、前記タイミングコントローラが前記オリジナル画素データを調整して補償画素データを出力するために、前記タイミングコントローラからデータ要求信号を受け取った後、前記パワーオン長さに基づいて、対応する前記ルックアップテーブルを調べることにより、補正信号を出力するように構成されている、請求項４記載の装置。
【請求項６】
前記タイマが前記ＥＥＰＲＯＭに接続されている、請求項４または５に記載の装置。
【請求項７】
前記タイマが前記タイミングコントローラに接続されている、請求項１ないし５のいずれかに記載の装置。
【請求項８】
オリジナル画素データに対して自発的に色補償を行い、かつ前記色補償に基づいて補償画素データをディスプレイモジュールに出力する自発的色補償コントロール装置であって、
前記ディスプレイモジュールのパワーオン時間長さを提供するタイマと、
前記オリジナル画素データを受け取り、かつデータ要求信号を出力するタイミングコントローラと、
ルックアップテーブルを含み、前記ルックアップテーブルを調べて、前記データ要求信号と前記パワーオン時間長さとに基づいて対応する補正信号を出力する補償コントロールユニットとを含む、コントロール装置。
【請求項９】
前記タイミングコントローラが、パワーオン時間長さに対応する使用時間データを受け取り、かつ前記使用時間データを組み合わせて前記データ要求信号として出力するために、前記タイマと接続されている、請求項８記載のコントロール装置。
【請求項１０】
前記補償コントロールユニットが、前記パワーオン時間長さに対応する使用時間データを受け取るために前記タイマと接続されている、請求項８記載のコントロール装置。
【請求項１１】
前記補償コントロールユニットは、前記ルックアップテーブルを保存するための電気的に消去可能で、かつプログラム可能な読み取り専用メモリであるＥＥＰＲＯＭを含む、請求項８ないし１０のいずれかに記載のコントロール装置。
【請求項１２】
オリジナル画素データに対して自発的に色補償し、かつ前記色補償に基づいて補償画素データをディスプレイモジュールに出力するための自発的色補償コントロール方法であって、
前記ディスプレイモジュールのパワーオン時間長さを計算する工程と、
前記パワーオン時間長さに基づいて、前記オリジナル画素データのグレイレベルを調整して、前記補償画素データを出力する工程とを含む、方法。
【請求項１３】
前記オリジナル画素データの前記グレイレベルを調整する工程は、前記オリジナル画素データの緑のグレイレベルと青のグレイレベルとを低下させて前記補償画素データを生成する工程を含む、請求項１２記載のコントロール方法。
【請求項１４】
前記オリジナル画素データの前記グレイレベルを調整する工程は、前記対応するルックアップテーブルを用いて前記オリジナル画素データの前記グレイレベルを補償する工程を含む、請求項１２または１３に記載のコントロール方法。
【請求項１５】
前記対応ルックアップテーブルを用いて前記オリジナル画素データを補償する工程は、
前記パワーオン時間長さが所定値に達しているかどうかを決定する工程を含む、請求項１４記載のコントロール方法。
【請求項１６】
前記パワーオン時間長さが前記所定値に達していない場合には、前記オリジナル画素データの前記グレイレベルが第１ルックアップテーブルに基づいて補償される、請求項１５記載のコントロール方法。
【請求項１７】
前記パワーオン時間長さが前記所定値に達している場合には、前記オリジナル画素データの前記グレイレベルが第２ルックアップテーブルに基づいて補償される、請求項１６記載のコントロール方法。
【請求項１８】
オリジナル画素データに対して自発的に色補償し、かつ前記色補償に基づいて補償画素データをディスプレイモジュールに出力するための自発的色補償コントロール方法であって、
前記ディスプレイモジュールのパワーオン時間長さを提供する工程と、
データ要求信号を提供する工程と、
前記データ要求信号と前記パワーオン時間長さとに基づいて、ルックアップテーブルを調べることにより補正信号を提供する工程と、
前記補正信号に基づいて前記オリジナル画素データを補償する工程とを含む、方法。
【請求項１９】
前記ルックアップテーブルを調べることにより前記補正信号を提供する工程は、
前記パワーオン時間長さが所定値に達していない場合に第１ルックアップテーブルに基づいて前記補正信号を提供する工程を含む、請求項１８記載のコントロール方法。
【請求項２０】
前記ルックアップテーブルを調べることにより前記補正信号を提供する工程は、
前記パワーオン時間長さが前記所定値に達している場合に第２ルックアップテーブルに基づいて前記補正信号を提供する工程を含む、請求項１９記載のコントロール方法。
【発明の詳細な説明】
【技術分野】
【０００１】
本発明は、概して、ディスプレイモジュールの老化（エージング）に対する色補償の方法および装置に関し、さらに詳細には、非自己照明ディスプレイモジュールの寿命を延ばすための、ディスプレイモジュールの老化に対する色補償の方法および装置に関する。
【背景技術】
【０００２】
本出願は、２００４年１１月２６日出願の台湾特許出願第９３１３６６３５号の利益を主張しており、同出願の内容は引用により本出願に組み込まれるものとする。
下記特許文献１に開示されているように、従来の液晶ディスプレイは、液晶パネル上にイメージを表示するために、データドライバとスキャンドライバとを駆動するコントロール回路を用いている。図１には、従来の液晶ディスプレイの構造図が示されている。液晶ディスプレイ１００は、コントロール回路１１０とディスプレイモジュール１２０とを含んでいる。制御回路１１０はタイミングコントローラ１１２を含んでおり、ディスプレイモジュール１２０はデータドライバ１２２とディスプレイパネル１２４とスキャンドライバ１２６とを含んでいる。データドライバ１２２は、画素データＤｐとタイミングコントローラ１１２により出力されたクロック信号ＣＬＫとに基づいて、ディスプレイパネル１２４にデータ電圧を出力する。スキャンドライバ１２６は、画素コントロールスイッチを一列ずつ起動し、タイミングコントローラ１１２により出力されたゲートＩＣクロック信号に基づいてディスプレイパネル１２４上に対応イメージを表示する。
【０００３】
現在のディスプレイパネル１２４の寿命は、少なくとも５００００時間〜６００００時間が必要である。しかしながら、バックライトモジュールや偏光板（ポラライジングプレート）のようなプラスチック製薄型フィルム部は長期使用により損傷しやすいため、ディスプレイモジュール１２０に生じる老化現象がディスプレイパネル１２４のグレイレベル表示に影響を与える。したがって、液晶ディスプレイ１００の寿命は短くなる。
【特許文献１】米国特許６，８６７，７５８号明細書
【発明の開示】
【発明が解決しようとする課題】
【０００４】
したがって、本発明の目的は、自発的に色補償するコントロール装置およびそのための方法を提供することである。
【課題を解決するための手段】
【０００５】
ディスプレイモジュールの使用時間に基づいて、ディスプレイは自発的に色補償を行い、ディスプレイパネルが長期にわたって使用されたときに生じる上記の老化現象を防止し、それによってディスプレイの寿命を延ばすことができる。
本発明は、オリジナル画素データに対して自発的に色補償し、かつそれに基づいて補償画素データをディスプレイモジュールに出力する自発的色補償コントロール装置を提供することにより、上記目的を達成する。このコントロール装置は、タイマとタイミングコントローラとを含んでいる。タイマは、ディスプレイモジュールのパワーオン時間長さを提供するために使用される。タイミングコントローラは、オリジナル画素データを受け取り、かつ補償画素データを出力するために使用される。タイミングコントローラは、パワーオン時間の長さに応じて、オリジナル画素データのグレイレベルを調整し、補償画素データを出力する。
【０００６】
本発明は、オリジナル画素データに対して自発的に色補償し、かつそれに基づいて補償画素データをディスプレイモジュールに出力する自発的色補償コントロール装置を提供することにより、上記目的を達成する。このコントロール装置は、タイマとタイミングコントローラと補償コントロールユニットとを含んでいる。タイマは、ディスプレイモジュールのパワーオン時間長さを提供するために使用される。タイミングコントローラは、オリジナル画素データを受け取り、かつデータ要求信号を出力するために使用される。補償コントロールユニットは、ルックアップテーブルを含んでおり、ルックアップテーブルを調べて、データ要求信号とパワーオン時間長さとに基づいて対応補正信号を出力するために使用される。
【０００７】
本発明は、オリジナル画素データに対して自発的に色補償し、かつそれに基づいて補償画素データをディスプレイモジュールに出力するための自発的色補償コントロール方法を提供することにより、上記目的を達成する。この方法は、ディスプレイモジュールのパワーオン時間長さを計算することと、パワーオン時間長さに基づいてオリジナル画素データのグレイレベルを調整して補償画素データを出力することとを含んでいる。
【０００８】
本発明は、オリジナル画素データに対して自発的に色補償し、かつそれに基づいて補償画素データをディスプレイモジュールに出力するための自発的色補償コントロール方法を提供することにより、上記目的を達成する。このコントロール方法は、ディスプレイモジュールのパワーオン時間長さを提供することと、データ要求信号を提供することと、ルックアップテーブルを調べて、データ要求信号およびパワーオン時間長さに基づいて補正信号を提供することと、補正信号に基づいてオリジナル画素データを補償することとを含んでいる。
【０００９】
本発明の他の目的、特徴および利点は、下記の好ましいが非限定的な実施形態の詳細な説明から明らかになるであろう。下記の説明は、添付図面を参照して行う。
【発明を実施するための最良の形態】
【００１０】
図２Ａを参照すると、本発明の好ましい実施形態による液晶ディスプレイの自発的色補償コントロール装置の構造図が示されている。色補償コントロール装置２００は、オリジナル画素データＤｐｏに基づいて自発的に色補償を行い、かつ補償画素データＤｐｃをディスプレイモジュール２４０に出力するために使用される。コントロール装置２００は、タイミングコントローラ２１０と、電気的に消去可能でかつプログラム可能な読み取り専用メモリ（ＥＥＰＲＯＭ）２２０と、タイマ２３０とを含んでいる。タイマ２３０は、ディスプレイモジュール２４０のパワーオン（電源が入れられている）時間長さ、すなわち最初のパワーオン（起動）からのディスプレイモジュール２４０の使用時間の計算に使用される。タイミングコントローラ２１０は、オリジナル画素データＤｐｏに基づいて自発的に色補償を行い、かつ補償画素データＤｐｃとクロック信号ＣＬＫとをディスプレイモジュール２４０に出力して、ディスプレイモジュール２４０のパワーオン時間長さに基づいてイメージを表示する。下記説明において、電気的に消去可能でかつプログラム可能な読み取り専用メモリ２２０を、単にＥＥＰＲＯＭで表す。
【００１１】
多数のルックアップテーブルを保存するために、タイマ２３０はＥＥＰＲＯＭ２２０に接続されており、ＥＥＰＲＯＭ２２０はタイミングコントローラ２１０に接続されている。ルックアップテーブルは、タイミングコントローラ２１０に必要な画素グレイレベルを提供し、ディスプレイモジュール２４０の異なるパワーオン時間長さにおけるオリジナル画素データＤｐｏを補償するために使用される。図２Ａに示したように、タイミングコントローラ２１０はデータ要求信号ＳａをＥＥＰＲＯＭ２２０に出力し、一方ＥＥＰＲＯＭ２２０は、データ要求信号Ｓａとディスプレイモジュール２４０のパワーオン時間長さに応じてタイマ２３０が出力する使用時間データＤｔとに基づいて補正信号Ｄｃを、タイミングコントローラ２１０に返送する。これにより、タイミングコントローラ２１０は、オリジナル画素データＤｐｏを補償して、補正信号Ｄｃに応じて補償画素データＤｐｃを出力する。
【００１２】
図２Ｂに示されているように、液晶ディスプレイが起動されると、タイミングコントローラ２１０は、データ要求信号ＳａをＥＥＰＲＯＭ２２０に出力する。ＥＥＰＲＯＭ２２０は、第１ルックアップテーブルＬＵＴ１を調べて、データ要求信号Ｓａと使用時間データＤｔとに応じて第１補正信号Ｄｃ１を出力する。第１補正信号Ｄｃ１は、たとえば２５５：２５５：２５５のように赤、緑および青のグレイレベルのパーセンテージを提供し、タイミングコントローラ２１０はグレイレベルパーセンテージに応じてオリジナル画素データＤｐｏを調整可能であり、また、それに基づいて補償画素データＤｐｃを出力することが可能である。
【００１３】
ディスプレイモジュール２４０が所定の時間、例えば５０００時間使用されると、ディスプレイパネルに老化現象が起こる。したがって、コントロール装置２００は、第１自発的色補償を行うが、この第１自発色補償においてＥＥＰＲＯＭ２２０は、第２ルックアップテーブルＬＵＴ２を調べて、データ要求信号Ｓａと使用時間データＤｔとに基づいて第２補正信号Ｄｃ２を出力する。第２補正信号Ｄｃ２は、たとえば２５５：２５０：２５０のように赤、緑および青のグレイレベルのパーセンテージを提供し、タイミングコントローラ２１０はそれに応じてオリジナル画素データＤｐｏを調整可能であり、また、補償画素データＤｐｃを出力することが可能である。したがって、緑および青のグレイレベルを低下させることにより、ディスプレイパネルの正常なカラーディスプレイを維持できる。
【００１４】
さらに、ディスプレイモジュール２４０の使用合計時間が８０００時間または１００００時間に達すると、上記の老化現象はさらに重大になる。コントロール装置２００は、第２または第３の色補償を自発的に行うことができる。ＥＥＰＲＯＭ２２０は、保存された第３および第４のルックアップテーブルを調べて、オリジナル画素データを補償して必要な補正画素データＤｐｃを出力する。
【００１５】
さらに、本発明のコントロール装置２００は、図２Ｃに示したようにタイミングコントローラ２１０が接続されていてもよい。タイミングコントローラ２１０は、ディスプレイモジュール２４０のパワーオン時間長さに応じた使用時間データＤｔを受け取り、この使用時間データＤｔを組み合わせてデータ要求信号として出力する。ディスプレイモジュール２４０のパワーオン時間長さが所定の時間に達する前は、タイミングコントローラ２１０が第１データ要求信号Ｓａ１を出力し、ＥＥＰＲＯＭ２２０は第１ルックアップテーブルＬＵＴ１を調べて第１データ要求信号Ｓａ１に基づいて第１補正信号Ｄｃ１を出力する。パワーオン時間長さが所定の時間に達すると、タイミングコントローラ２１０が第２データ要求信号Ｓａ２を出力し、ＥＥＰＲＯＭ２２０は第２ルックアップテーブルＬＵＴ２を調べて、第２データ要求信号Ｓａ２に基づく第２補正信号Ｄｃ２を出力する。タイミングコントローラ２１０は、次に、第１補正信号Ｄｃ１または第２補正信号Ｄｃ２に基づいて補償画素データＤｐｃを出力する。
【００１６】
図３Ａを参照すると、本発明の好ましい実施形態による液晶ディスプレイの自発的色補償コントロール方法のフローチャートが示されている。まず、ステップ３００において、タイマ２３０を用いてディスプレイモジュール２４０のパワーオン時間長さＴを計算する。その後、ステップ３１０において、パワーオン時間長さＴが所定値Ｔｐに達している（所定値よりも大である）かどうかを決定する。パワーオン時間長さＴが所定値Ｔｐに達していなければ、ステップ３２０を継続して第１ルックアップテーブルＬＵＴ１を調べてオリジナル画素データＤｐｏに基づいて補償画素データＤｐｃを出力した後、ステップ３００に戻る。上記のように、ＥＥＰＲＯＭ２２０は第１ルックアップテーブルＬＵＴ１を調べて、対応する使用時間データＤｔとデータ要求信号Ｓａとに基づいて第１補正信号Ｄｃ１を出力する。タイミングコントローラ２１０は、オリジナル画素データＤｐｏを調整し、補正信号Ｄｃ１に基づいて補償画素データＤｐｃを出力する。
【００１７】
もしパワーオン時間長さが所定値Ｔｐに達していると、ステップ３３０を継続して第２ルックアップテーブルＬＵＴ２を調べることによりオリジナル画素データＤｐｏを補償し、補償画素データＤｐｃを出力する。ＥＥＰＲＯＭ２２０は第２ルックアップテーブルＬＵＴ２を調べて、対応する使用時間データＤｔとデータ要求信号Ｓａとに基づいて補正信号Ｄｃ２を出力する。タイミングコントローラ２１０は、オリジナル画素データＤｐｏを調整し、補正信号Ｄｃ２に基づいて補償画素データＤｐｃを出力する。
【００１８】
図３Ｂに示したように、第１ルックアップテーブルＬＵＴ１と第２ルックアップテーブルＬＵＴ２とは、それぞれ、必要な赤のグレイレベルＧｒと緑のグレイレベルＧｇと青のグレイレベルＧｂとのパーセンテージを記録している。たとえば、オリジナル画素データＤｐｏの色補償が必要でない正常状態のディスプレイパネルに使用される第１ルックアップテーブルＬＵＴ１のＧｒ、Ｇｇ、Ｇｂの値は、それぞれ２５５、２５５，２５５である。第２ルックアップテーブルＬＵＴ２のＧｒ、Ｇｇ、Ｇｂの値は、それぞれ２５５、２５０，２５０である。したがって、ディスプレイモジュール２４０のパワーオン時間長さが所定値Ｔｐに達したとき、タイミングコントローラ２１０から出力される画素データＤｐｃにおける緑および青のグレイレベルパーセンテージを小さくすることにより、ディスプレイパネルの上記老化現象を小さくすることができる。
【００１９】
この実施形態において、第１ルックアップテーブルＬＵＴ１または第２ルックアップテーブルＬＵＴ２における画素グレイレベルは、実際のディスプレイパネルの老化状態に応じて調整することが可能であり、所定値Ｔｐもまた調整可能であり、たとえば補償期間の数を増やすことができ、各期間において異なる補償グレイレベルを用いて画素データをダイナミックに補償し、ディスプレイパネルの正常カラーディスプレイを維持することができる。
【００２０】
ルックアップテーブルを調べることにより色補償する液晶ディスプレイを本発明における一例として取り上げたが、本発明の自発的色補償コントロール装置は、ファームウエアまたは他の数学的演算方法によりタイミングコントローラにセットされた時間・色補償テーブルを調べることによって、ディスプレイモジュールのパワーオン時間長さに基づいて画素データを自発的に補償することもできる。ディスプレイのパワーオン時間長さが所定値に達すると、画素データのグレイレベルは自発的に補正でき、ディスプレイモジュールの老化現象を補償できるので、このことは本発明の技術範囲内にある。
【００２１】
上記の好ましい実施形態によれば、自発色補償コントロール装置は下記の利点を有する。コントロール装置内に配置されたタイマを用いて液晶ディスプレイのパワーオン時間長さを計算することにより、ディスプレイが所定時間使用されたときにオリジナル画素データのグレイレベルを補償して、ディスプレイパネルの正常なカラー表示を維持することができる。したがって、ディスプレイパネルの上記老化現象を低減でき、このような簡単な回路設計で液晶ディスプレイの寿命を伸ばすことができる。
【００２２】
上記において、例示により、かつ好ましい実施形態として本発明を説明したが、本発明はこれらに限定されるものではない。逆に、本発明は種々の変更ならびに類似の構成および手順を含むものであり、したがって、添付の特許請求の範囲は、このような種々の変更ならびに類似の構成および手順を全て含むように最も広く解釈されるべきである。
【図面の簡単な説明】
【００２３】
【図１】従来の液晶ディスプレイの構造図である。
【図２Ａ】本発明の好ましい実施形態による液晶ディスプレイの自発的色補償コントロール装置の構造図である。
【図２Ｂ】図２Ａのタイマに制御されたＥＥＰＲＯＭのデータ要求信号出力の回路図である。
【図２Ｃ】図２Ａのタイマに制御されたタイミングコントローラのデータ要求信号出力の回路図である。
【図３Ａ】本発明の好ましい実施形態による液晶ディスプレイの自発的色補償コントロール方法のフローチャートである。
【図３Ｂ】第１ルックアップテーブルと第２ルックアップテーブルとにより提供される赤、緑および青のグレイレベルを示した図である。
【図１】
2006154741.tif 000003
【図２Ａ】
2006154741.tif 000004
【図２Ｂ】
2006154741.tif 000005
【図２Ｃ】
2006154741.tif 000006
【図３Ａ】
2006154741.tif 000007
【図３Ｂ】
2006154741.tif 000008